(57)【要約】【課題】画像の視認性を改善できる画像処理装置、画像表示装置、及び画像処理方法を提供する。【解決手段】映像処理部６は、入力される画像信号のフレームレートを所定の比率で変換した第１信号を出力する。フレーム処理部７は、第１信号から中間フレームを生成し、当該第１信号のフレーム間に中間フレームを挿入した、第２信号を出力する。設定手段５は、フレーム処理部７での補間の有無に関する補間モードを設定する。フレーム処理部７は、補間モードがオフの時、中間フレームとして、第１信号のフレームを複製した複製フレームを生成し、補間モードがオンの時、中間フレームとして、第１信号に基づいて、当該第１信号に含まれる複数のフレームから生成した補間フレームを生成する。【選択図】図１
2011119814.tif 000002
【特許請求の範囲】
【請求項１】
入力される画像信号のフレームレートを所定の比率で変換した第１信号を出力する映像処理部と、
前記第１信号から中間フレームを生成し、当該第１信号のフレーム間に前記中間フレームを挿入した、第２信号を出力するフレーム処理部と、
前記フレーム処理部での補間の有無に関する補間モードを設定する設定手段とを備え、
前記フレーム処理部は、前記補間モードがオフの時、前記中間フレームとして、前記第１信号のフレームを複製した複製フレームを生成し、前記補間モードがオンの時、前記中間フレームとして、前記第１信号に基づいて、当該第１信号に含まれる複数のフレームから生成した補間フレームを生成することを特徴とする画像処理装置。
【請求項２】
請求項１に記載の画像処理装置であって、
前記映像処理部は、前記設定手段で設定された前記補間モードに応じて、前記比率を変更することを特徴とする画像処理装置。
【請求項３】
請求項２に記載の画像処理装置であって、
前記映像処理部は、前記補間モードがオフの時、２：３プルダウンによりフレームレートを変換し、前記補間モードがオンの時、２：２プルダウンによりフレームレートを変換することを特徴とする画像処理装置。
【請求項４】
請求項１ないし請求項３のいずれかに記載の画像処理装置であって、
前記補間モードがオンの時、前記フレーム処理部は前記第１信号を、前記映像処理部でフレームレートを変換する前の画像信号に再変換し、当該再変換された画像信号の複数のフレームから前記補間フレームを生成することを特徴とする画像処理装置。
【請求項５】
請求項１ないし請求項４のいずれかに記載の画像処理装置であって、
前記補間モードがオフの時、前記フレーム処理部は２：２プルダウンによって前記複製フレームを生成することを特徴とする画像処理装置。
【請求項６】
請求項１ないし請求項５のいずれかに記載の画像処理装置において、
前記入力される画像信号は、２４Ｈｚのフレームレートの画像信号であり、
前記第２信号は、前記補間モードがオフの時、１２０Ｈｚのフレームレートの信号であり、前記補間モードがオンの時、９６Ｈｚのフレームレートの信号である
ことを特徴とする画像処理装置。
【請求項７】
請求項１ないし請求項６のいずれかに記載の画像処理装置と、
前記フレーム処理部から出力される前記第２信号に基づくフレームを当該第２信号のフレームレートで駆動して表示する表示手段と
を備えることを特徴とする画像表示装置。
【請求項８】
入力される画像信号のフレームレートを所定の比率で変換した第１信号を出力する映像処理ステップと、
前記第１信号から中間フレームを生成し、当該第１信号のフレーム間に前記中間フレームを挿入した、第２信号を出力するフレーム処理ステップと、
前記フレーム処理ステップでの補間の有無に関する補間モードを設定する設定ステップとを備え、
前記フレーム処理ステップにおいて、前記補間モードがオフの時、前記中間フレームとして、前記第１信号のフレームを複製した複製フレームを生成し、前記補間モードがオンの時、前記中間フレームとして、前記第１信号の複数のフレームから生成した補間フレームを生成することを特徴とする画像処理方法。
【発明の詳細な説明】
【技術分野】
【０００１】
本発明は、画像処理装置、画像表示装置、及び画像処理方法に関する。
【背景技術】
【０００２】
従来、入力される画像信号に応じた画像（フレーム）間に、当該画像に基づいて生成した中間画像を挿入して表示する表示装置が知られている（例えば、特許文献１参照）。
この特許文献１に記載の表示装置では、入力される画像信号に応じた画像のうち、隣接する画像から当該画像間の画像の動きを予測して中間画像を作成し、その画像間に中間画像を内挿することで画像の補間を行っている。
【先行技術文献】
【特許文献】
【０００３】
【特許文献１】特開平４−３０２２８９号公報
【発明の概要】
【発明が解決しようとする課題】
【０００４】
ところで、従来の画像表示装置は、フレームの補間を行う場合には、補間したフレームに応じてフレームレートを高くするが、フレームの補間を行わない場合には、入力される画像信号に何も処理を行わずに出力する。そのため、従来の画像表示装置では、補間を行う場合と行わない場合とで、フレームレートが大きく異なってしまい、表示される画像の視認性に大きな違いが生じるという問題があった。
【０００５】
本発明の目的は、画像の視認性を改善できる画像処理装置、画像表示装置、及び画像処理方法を提供することにある。
【課題を解決するための手段】
【０００６】
前述の目的を達成するために、本発明の画像処理装置は、入力される画像信号のフレームレートを所定の比率で変換した第１信号を出力する映像処理部と、前記第１信号から中間フレームを生成し、当該第１信号のフレーム間に前記中間フレームを挿入した、第２信号を出力するフレーム処理部と、前記フレーム処理部での補間の有無に関する補間モードを設定する設定手段とを備え、前記フレーム処理部は、前記補間モードがオフの時、前記中間フレームとして、前記第１信号のフレームを複製した複製フレームを生成し、前記補間モードがオンの時、前記中間フレームとして、前記第１信号に基づいて、当該第１信号に含まれる複数のフレームから生成した補間フレームを生成することを特徴とする。
【０００７】
本発明によれば、映像処理部は、先ず、入力される画像信号に対してフレームレートを変換した第１信号を出力する。
そして、フレーム処理部は、第１信号に対して、当該第１信号のフレーム間に中間フレームを生成して挿入した第２信号を出力するため、フレームレートを更に上げることができる。この際、フレーム処理部は、設定手段で設定された補間モードがオフである場合（補間しない場合）には、中間フレームとして、第１信号のフレームを複製した複製フレームを生成する。このため、補間を行わずにフレームレートを上げることができる。一方、当該補間モードがオンである場合（補間する場合）には、中間フレームとして、第１信号に基づいて、当該第１信号に含まれる複数のフレームから生成した補間フレームを生成する。このため、複数のフレームから動きを予測して補間を行い、フレームレートを上げることができる。
従って、フレームの補間を行う場合と行わない場合とで同様にフレームレートを上げることができるので、表示される画像の視認性に大きな違いが生じるのを防止でき、画像の視認性を改善できる。
【０００８】
本発明では、前記映像処理部は、前記設定手段で設定された前記補間モードに応じて、前記比率を変更することが好ましい。
本発明によれば、映像処理部が補間モードに応じてフレームレートを変換する比率を変更するため、第１信号のフレームレートを補間の有無に応じたレートとすることができる。例えば、フレームの補間を行う場合には、補間を行わない場合よりも第１信号のフレームレートを低くすることで、補間フレームの生成等の時間的余裕を持たせることができる。従って、フレーム処理部の負荷を軽減でき、補間フレームの生成を確実に行うことができる。
【０００９】
本発明では、前記映像処理部は、前記補間モードがオフの時、２：３プルダウンによりフレームレートを変換し、前記補間モードがオンの時、２：２プルダウンによりフレームレートを変換することが好ましい。
ここで、２：３プルダウンとは、同じフレームを２枚、３枚、２枚、３枚、…と交互に出力すること、すなわち、フレーム間に交互に複製フレームを１枚、２枚、１枚、２枚と挿入した並びで出力することをいう。また、２：２プルダウンとは、同じフレームを２枚ずつ出力すること、すなわち、フレーム間に複製フレームを１枚だけ挿入した並びで出力することをいう。
【００１０】
２：３プルダウンした後にフレームの補間を行う場合、２：３プルダウンの際に、入力と出力のタイミングが同期していない関係で、２：３プルダウンを行う回路によっては、２：３プルダウンが正しく行われない可能性がある。例えば、前述したように、２：３プルダウンでは同じフレームが２枚、３枚、２枚、３枚、…と出力されなければならないところ、２枚、３枚、３枚、２枚、…と出力されてしまう可能性がある。このように正しく出力されないと、その後に補間を行った際に意図しない補間フレームが生成されてしまい、結果として、不自然な動きの画像が表示されてしまう。
このため、２：２プルダウンをした後にフレームの補間を行うようにすれば、２：２プルダウンではフレームレートが２倍（整数倍）となるため、入力と出力のタイミングを同期させることができ、その後に補間を行った際に補間に適した補間フレームを生成でき、自然な動きの画像を表示できる。
【００１１】
これに対し、本発明では、補間モードがオフの時、２：３プルダウンによりフレームレートを変換し、補間モードがオンの時、２：２プルダウンによりフレームレートを変換する。
これによれば、フレームの補間を行わない場合には、補間を行う場合よりも高いフレームレートとすることができ、フリッカーを抑えることができる。
一方、前述のように、フレームの補間を行う場合には、第１信号のフレームレートは、入力された画像信号の２倍（整数倍）となるため、映像処理部において入力と出力のタイミングを同期させることができ、自然な動きの画像を表示することができる。
従って、フリッカーの抑制を重視するか、動きの自然な画像を重視するかを設定手段により選択することができ、これらの場合に合わせて画像の視認性を向上できる。
【００１２】
本発明では、前記補間モードがオンの時、前記フレーム処理部は前記第１信号を、前記映像処理部でフレームレートを変換する前の画像信号に再変換し、当該再変換された画像信号の複数のフレームから前記補間フレームを生成することが好ましい。
ここで、フレーム処理部の構成によっては、補間を行う場合に低フレームレートの信号に基づいて行う必要があるものがある。
これに対し、本発明では、フレーム処理部は、補間モードがオンの時、第１信号を、フレームレートを変換する前の画像信号に再変換し、当該再変換された画像信号の複数のフレームから補間フレームを生成する。このため、フレーム処理部がこのような構成であったとしても補間することができる。
【００１３】
本発明では、前記補間モードがオフの時、前記フレーム処理部は２：２プルダウンによって前記複製フレームを生成することが好ましい。
本発明によれば、フレーム処理部は、補間モードがオフの時、２：２プルダウンによって複製フレームを生成する。すなわち、前述したように、フレーム間に複製フレームを１枚だけ挿入した並びで出力するため、２：３プルダウン等と比較して自然な動きの画像を表示することができ、表示される画像の視認性を向上できる。
【００１４】
本発明では、前記入力される画像信号は、２４Ｈｚのフレームレートの画像信号であり、前記第２信号は、前記補間モードがオフの時、１２０Ｈｚのフレームレートの信号であり、前記補間モードがオンの時、９６Ｈｚのフレームレートの信号であることが好ましい。
本発明によれば、補間モードがオフの場合には、２４Ｈｚのフレームレートの画像信号から第２信号として、１２０Ｈｚのフレームレートの信号が生成されて出力される。補間モードがオンの場合には、２４Ｈｚのフレームレートの画像信号から第２信号として、９６Ｈｚのフレームレートの信号が生成されて出力される。従って、補間を行わない場合には、より適切にフリッカーを抑えることができ、補間を行う場合には、より適切に自然な動きの画像を表示することができ、表示される画像の視認性を向上することができる。
【００１５】
本発明の画像表示装置は、前記本発明に係る画像処理装置と、前記フレーム処理部から出力される前記第２信号に基づくフレームを当該第２信号のフレームレートで駆動して表示する表示手段とを備えることを特徴とする。
本発明によれば、本発明に係る画像処理装置を備えることで、前述した画像処理装置と同様の作用効果を奏することができる。
【００１６】
本発明の画像処理方法は、入力される画像信号のフレームレートを所定の比率で変換した第１信号を出力する映像処理ステップと、前記第１信号から中間フレームを生成し、当該第１信号のフレーム間に前記中間フレームを挿入した、第２信号を出力するフレーム処理ステップと、前記フレーム処理ステップでの補間の有無に関する補間モードを設定する設定ステップとを備え、前記フレーム処理ステップにおいて、前記補間モードがオフの時、前記中間フレームとして、前記第１信号のフレームを複製した複製フレームを生成し、前記補間モードがオンの時、前記中間フレームとして、前記第１信号の複数のフレームから生成した補間フレームを生成することを特徴とする。
本発明によれば、前述の画像処理装置と同様の処理を行うため、当該画像処理装置と同様の作用効果を奏することができる。
【図面の簡単な説明】
【００１７】
【図１】本発明の一実施形態に係る画像表示装置を示すブロック図。
【図２】前記実施形態における画像制御処理の流れを示すフローチャート。
【図３】前記実施形態における補間を行わない場合の処理を説明する図。
【図４】前記実施形態における補間を行う場合の処理を説明する図。
【発明を実施するための形態】
【００１８】
以下、本発明の一実施形態を図面に基づいて説明する。
〔画像表示装置の構成〕
図１は、本実施形態に係る画像表示装置１を示すブロック図である。
本発明に係る画像表示装置１は、画像表示装置１に入力される２４Ｈｚのフレームレートの画像信号（以下、２４Ｈｚ信号と称する）のフレームレートを変換して、変換した信号を用いて画像を表示する。
画像表示装置１は、図１に示すように、画像処理手段２、制御手段３、表示手段４及び設定手段５を備えている。なお、画像処理手段２、制御手段３及び設定手段５は、本発明に係る画像処理装置を構成する。画像処理手段２は、制御手段３及び表示手段４に接続されている。制御手段３は、表示手段４及び設定手段５にも接続されている。
【００１９】
先ず、表示手段４及び設定手段５について説明する。
表示手段４は、画像処理手段２から入力される信号に基づく画像を、当該信号のフレームレートで駆動して表示する。この表示手段４は、画像処理手段２に接続されたパネル駆動部８と、パネル駆動部８に接続された表示パネル９とを備える。
パネル駆動部８は、表示パネル９のドライバーとして機能する。すなわち、パネル駆動部８は、画像処理手段２から入力される信号のフレームレートに基づいて表示パネル９を駆動させ、表示パネル９は、パネル駆動部８から入力される信号に応じた画像を表示する。
【００２０】
設定手段５は、設定信号を制御手段３に入力する。例えば、設定手段５は、画像表示装置１の本体外面に設けられた操作ボタン等を備えた入力部で構成され、使用者によりその操作ボタン等が操作されることで当該操作に応じた信号を設定信号として制御手段３に入力する。
この設定手段５は、使用者が後述するフレーム処理部７での補間の有無に関する補間モードを「オフ」とするか「オン」とするかを選択可能に構成される。すなわち、当該選択に応じた設定信号が制御手段３に入力され、制御手段３は、当該設定信号により補間モードを判別可能に構成される。なお、補間モード「オフ」とは、後述するフレーム補間処理を行わないモードであり、補間モード「オン」とは、当該フレーム補間処理を行うモードである。このように、画像表示装置１は、使用者が設定手段５によってフレーム補間処理を行うか否かを選択できる構成とされている。
【００２１】
〔画像処理手段の構成〕
画像処理手段２は、２４Ｈｚ信号を１２０Ｈｚ又は９６Ｈｚのフレームレートに変換して出力する。この画像処理手段２は、映像処理部６及びフレーム処理部７を備える。
映像処理部６は、入力される２４Ｈｚ信号のフレームレートを所定の比率で変換した第１信号を出力する。フレーム処理部７は、第１信号から中間フレームを生成し、当該第１信号のフレーム間に当該中間フレームを挿入した、第２信号を出力する。
【００２２】
映像処理部６は、画像表示装置１に入力される２４Ｈｚ信号に、後述する第１プルダウン処理、及び、第２プルダウン処理のいずれかを施して生成される信号を第１信号として出力する。つまり、映像処理部６は、第１プルダウン処理と第２プルダウン処理とを切替可能に構成されている。
具体的に、映像処理部６は、入力される２４Ｈｚ信号のフレームを複製することで複製フレームを生成し、生成した複製フレームを複製元のフレームに続けて出力する。すなわち、同じフレームを複数回出力する。
フレーム処理部７は、映像処理部６から入力される第１信号に、後述する第３プルダウン処理、及び、フレーム補間処理のいずれかを施して生成される信号を第２信号として出力する。つまり、フレーム処理部７は、第３プルダウン処理とフレーム補間処理とを切替可能に構成されている。
【００２３】
制御手段３は、使用者が設定手段５で設定した補間モードに従って映像処理部６及びフレーム処理部７を制御する。具体的には、補間モードが「オフ」の場合には、制御手段３は、映像処理部６に第１プルダウン処理を行わせ、かつ、フレーム処理部７に第３プルダウン処理を行わせる。また、補間モードが「オン」の場合には、制御手段３は、映像処理部６に第２プルダウン処理を行わせ、かつ、フレーム処理部７にフレーム補間処理を行わせる。
【００２４】
図２は、画像表示装置１により実行される画像制御処理の流れを示すフローチャートである。
制御手段３は、画像制御処理が開始されると、図示しない記憶手段に記憶された制御プログラムを読み出して、当該制御プログラムを実行し、画像表示装置１における画像制御処理を開始する。
この画像制御処理では、先ず、設定ステップとして、設定手段５により補間モードが設定される（ステップＳ１）。なお、この設定は、使用者が予め設定しておいた補間モードを制御手段３が記憶していてもよいし、「オン」と「オフ」のどちらか一方を初期値として設定していてもよい。
【００２５】
次に、制御手段３は、補間モードが「オフ」であるか否かを判定する（ステップＳ２）。
ステップＳ２で、補間モードが「オフ」と判定された場合（Ｓ２判定：「Ｙ」）には、映像処理ステップとして、制御手段３は、映像処理部６が第１プルダウン処理によりフレームレートを変換した信号を生成して、第１信号として出力するように制御する（ステップＳ３）。
そして、フレーム処理ステップとして、制御手段３は、フレーム処理部７が第３プルダウン処理により第１信号のフレームを複製した複製フレームを中間フレームとして生成し（ステップＳ４）、当該中間フレームを第１信号のフレーム間に挿入した信号を生成して、第２信号として出力する（ステップＳ５）。
そして、第２信号のフレームレートで表示手段４が画像を表示後（ステップＳ６）、制御手段３は、画像制御処理を終了する。
【００２６】
ステップＳ２で、補間モードが「オン」と判定された場合（Ｓ２判定：「Ｎ」）には、映像処理ステップとして、制御手段３は、映像処理部６が第２プルダウン処理によりフレームレートを変換した信号を生成して、第１信号として出力するように制御する（ステップＳ７）。
そして、フレーム処理ステップとして、制御手段３は、フレーム処理部７がフレーム補間処理により第１信号に基づいて、当該第１信号に含まれる複数のフレームから生成した補間フレームを中間フレームとして生成し（ステップＳ８）、当該中間フレームを第１信号のフレーム間に挿入した信号を生成して、第２信号として出力する（ステップＳ９）
そして、第２信号のフレームレートで表示手段４が画像を表示後（ステップＳ１０）、制御手段３は、画像制御処理を終了する。
【００２７】
図３は、補間モードが「オフ」（補間を行わない）の場合の処理を説明する図である。また、図４は、補間モードが「オン」（補間を行う）の場合の処理を説明する図である。
詳述すると、図３（Ａ）及び図４（Ａ）は、映像処理部６で処理する前の画像信号（２４Ｈｚ信号）におけるフレームのイメージを示す。図３（Ｂ）及び図４（Ｂ）は、映像処理部６で処理した後の信号におけるフレームのイメージを示す。図３（Ｃ）及び図４（Ｃ）は、フレーム処理部７で処理した後の信号におけるフレームのイメージを示す。なお、図３及び図４では、画像「▲」が左から右に動く場合を示している。
【００２８】
〔補間モードが「オフ」の場合の処理〕
前述したように、補間モードが「オフ」の場合、制御手段３による制御の下、映像処理部６は、第１プルダウン処理を行い、フレーム処理部７は、第３プルダウン処理を行う。
具体的に、映像処理部６による第１プルダウン処理では、入力される２４Ｈｚ信号に対して２：３プルダウンを行うことで６０Ｈｚのフレームレートの信号が第１信号として生成されて出力される。ここで、２：３プルダウンとは、同じフレームを２枚、３枚、２枚、３枚、…と交互に出力すること、すなわち、フレーム間に交互に複製フレームを１枚、２枚、１枚、２枚と挿入した並びで出力することをいう。
すなわち、映像処理部６は、複製フレームの枚数をフレーム間毎に順次１枚と２枚とで切り替える。図３（Ａ）に示すように、処理前のフレームが「Ａ，Ｂ，Ｃ，…」という並びで映像処理部６に入力される場合、映像処理部６により、処理後のフレームは、図３（Ｂ）に示すように、「Ａ，Ａ，Ｂ，Ｂ，Ｂ，Ｃ，Ｃ，…」の並びとなる。このように、第１プルダウン処理では、同じフレームを２回出力する場合と３回出力する場合とを交互に繰り返して６０Ｈｚ（２４Ｈｚ信号の２．５倍）のフレームレートの信号を生成して出力する。
【００２９】
フレーム処理部７による第３プルダウン処理では、フレーム処理部７が映像処理部６から入力される信号が２：３プルダウンされた６０Ｈｚフレームレートの信号だということを検出して、映像処理部６から入力される６０Ｈｚのフレームレートの信号を２：２プルダウンして１２０Ｈｚのフレームレートの信号を第２信号として生成して出力する。ここで、２：２プルダウンとは、同じフレームを２枚ずつ出力すること、すなわち、フレーム間に複製フレームを１枚だけ挿入した並びで出力することをいう。
すなわち、フレーム処理部７は、中間フレームとして第１信号のフレームを複製した複製フレームを生成し、当該複製フレームを第１信号のフレーム間に挿入した並びの信号を第２信号として出力する。図３（Ｂ）に示すように、処理前のフレームが「Ａ，Ａ，Ｂ，Ｂ，Ｂ，Ｃ，Ｃ，…」という並びである場合、処理後のフレームは、図３（Ｃ）に示すように、「Ａ，Ａ，Ａ，Ａ，Ｂ，Ｂ，Ｂ，Ｂ，Ｂ，Ｂ，Ｃ，Ｃ，Ｃ，Ｃ，…」という並びとなる。このように、第３プルダウン処理では、同じフレームを２回出力して１２０Ｈｚ（第１信号の２倍）のフレームレートの信号を生成して出力する。
【００３０】
〔補間モードが「オン」の場合の処理〕
フレーム補間モードが「オン」の場合、制御手段３による制御の下、映像処理部６は第２プルダウン処理を行い、フレーム処理部７はフレーム補間処理を行う。
具体的に、映像処理部６による第２プルダウン処理では、入力される２４Ｈｚ信号に対して２：２プルダウンを行うことで４８Ｈｚのフレームレートの信号が第１信号として生成されて出力される。図４（Ａ）に示すように、処理前のフレームが「Ａ，Ｂ，Ｃ，…」という並びで映像処理部６に入力される場合、処理後のフレームは、図４（Ｂ）に示すように、「Ａ，Ａ，Ｂ，Ｂ，Ｃ，Ｃ，…」の並びとなる。このように、第２プルダウン処理では、同じフレームを２回出力して４８Ｈｚ（２４Ｈｚ信号の２倍）のフレームレートの信号を生成して出力する。
【００３１】
フレーム処理部７によるフレーム補間処理では、フレーム処理部７が映像処理部６から入力される信号が２：２プルダウンされた４８Ｈｚのフレームレートの信号だということを検出して、２４Ｈｚ信号に再変換してから、中間フレームとして補間フレームを生成してフレームを補間し、９６Ｈｚのフレームレートの信号を第２信号として生成して出力する。すなわち、フレーム処理部７は、映像処理部６から入力される４８Ｈｚのフレームレートの信号のフレーム間を補間する補間フレームを生成する。例えば、補間フレームは、２４Ｈｚ信号において隣接する２枚又は前後２枚の計４枚のフレームから画像の動きを予測して作成する。そして、フレーム処理部７は、その補間フレームを第１信号のフレーム間に内挿して９６Ｈｚのフレームレートの信号を生成して出力する。図４（Ａ）に示すように、２４Ｈｚ信号のフレームが「Ａ」，「Ｂ」，「Ｃ」，という並びである場合、処理後のフレームは、図４（Ｃ）に示すように、「Ａ，Ａ１，Ａ２，Ａ３，Ｂ，Ｂ１，Ｂ２，Ｂ３，Ｃ，Ｃ１，Ｃ２，Ｃ３，…」という並びとなる。なお、Ａ１〜Ａ３、Ｂ１〜Ｂ３及びＣ１〜Ｃ３は、補間フレームを示す。このように、フレーム補間処理では、フレーム間を補間フレームで補間して９６Ｈｚ（第１信号の２倍）のフレームレートの信号を生成して出力する。
【００３２】
上述した本実施形態に係る画像表示装置１によれば、以下の効果がある。
映像処理部６は、先ず、入力される２４Ｈｚ信号に対してフレームレートを変換した第１信号を出力する。そして、フレーム処理部７は、第１信号に対して、当該第１信号のフレーム間に中間フレームを生成して挿入した第２信号を出力するため、フレームレートを更に上げることができる。この際、フレーム処理部７は、設定手段５で設定された補間モードがオフである場合（補間しない場合）には、中間フレームとして、第１信号のフレームを複製した複製フレームを生成する。このため、補間を行わずにフレームレートを上げることができる。一方、当該補間モードがオンである場合（補間する場合）には、中間フレームとして、第１信号の複数のフレームから生成した補間フレームを生成する。このため、複数のフレームから動きを予測して補間を行い、フレームレートを上げることができる。
従って、フレームの補間を行う場合と行わない場合とで同様にフレームレートを上げることができるので、表示される画像の視認性に大きな違いが生じるのを防止でき、画像の視認性を改善できる。
【００３３】
映像処理部６は、設定手段５で設定された補間モードに応じて、フレームレートを変換する比率を変更するため、第１信号のフレームレートを補間の有無に応じたレートとすることができる。具体的に、フレームの補間を行う場合には、第１信号のフレームレートを、補間を行わない場合（６０Ｈｚ）よりも低くする（４８Ｈｚ）ことで、補間フレームの生成等の時間的余裕を持たせることができる。従って、フレーム処理部７の負荷を軽減でき、補間フレームの生成を確実に行うことができる。
【００３４】
２：３プルダウンした後にフレームの補間を行う場合、２：３プルダウンの際に、入力と出力のタイミングが同期していない関係で、２：３プルダウンを行う回路によっては、２：３プルダウンが正しく行われない可能性がある。例えば、前述したように、２：３プルダウンでは同じフレームが２枚、３枚、２枚、３枚、…と出力されなければならないところ、２枚、３枚、３枚、２枚、…と出力されてしまう可能性がある。このように正しく出力されないと、その後に補間を行った際に意図しない補間フレームが生成されてしまい、結果として、不自然な動きの画像が表示されてしまう。
このため、２：２プルダウンをした後にフレームの補間を行うようにすれば、２：２プルダウンではフレームレートが２倍（整数倍）となるため、入力と出力のタイミングを同期させることができ、その後に補間を行った際に補間に適した補間フレームを生成でき、自然な動きの画像を表示できる。
【００３５】
これに対して、映像処理部６は、補間モードがオフの時、２：３プルダウンによりフレームレートを変換し、補間モードがオンの時、２：２プルダウンによりフレームレートを変換するため、フレームの補間を行わない場合には、補間を行う場合（９６Ｈｚ）よりも高いフレームレート（１２０Ｈｚ）とすることができ、フリッカーを抑えることができる。
一方、フレームの補間を行う場合には、第１信号のフレームレートは、入力された画像信号の２倍（整数倍）となるため、映像処理部６において入力と出力のタイミングを同期させることができ、自然な動きの画像を表示することができる。
従って、フリッカーの抑制を重視するか、動きの自然な画像を重視するかを設定手段により選択することができ、これらの場合に合わせて画像の視認性を向上できる。
【００３６】
補間モードがオンの時、フレーム処理部７は第１信号を、映像処理部６でフレームレートを変換する前の画像信号（２４Ｈｚ信号）に再変換し、当該再変換された画像信号の複数のフレームから補間フレームを生成するため、フレーム処理部７が補間を行う場合に低フレームレートの信号に基づいて行う必要があるような構成であったとしても補間することができる。
【００３７】
フレーム処理部７は、補間モードがオフの時、２：２プルダウンによって複製フレームを生成する（フレーム間に複製フレームを１枚だけ挿入した並びで出力する）ため、２：３プルダウン等と比較して自然な動きの画像を表示することができ、表示される画像の視認性を向上できる。
【００３８】
補間モードがオフの場合には、２４Ｈｚのフレームレートの画像信号から第２信号として、１２０Ｈｚのフレームレートの信号が生成されて出力される。補間モードがオンの場合には、２４Ｈｚのフレームレートの信号から第２信号として、９６Ｈｚのフレームレートの信号が生成されて出力される。従って、補間を行わない場合には、より適切にフリッカーを抑えることができ、補間を行う場合には、より適切に自然な動きの画像を表示することができ、表示される画像の視認性を向上することができる。
また、使用者は、好みに応じて、設定手段５によりフレーム補間をするか否かを選択することができ、出力される信号のフレームレートを切り替えることができる。これにより、使用者の好みに応じて表示される画像を切り替えることができる。
【００３９】
〔実施形態の変形〕
本発明は前述の実施形態に限定されるものではなく、本発明の目的を達成できる範囲での変形、改良等は本発明に含まれるものである。
前記実施形態では、２４Ｈｚ信号は、画像表示装置１の外部から入力したものであったが、これに限らず、当該２４Ｈｚ信号は、画像表示装置１の内部で変換又は生成したものであってもよい。
前記実施形態では、入力される画像信号のフレームレートを２４Ｈｚとし、第１信号のフレームレートを６０Ｈｚ又は４８Ｈｚとし、第２信号のフレームレートを１２０Ｈｚ又は９６Ｈｚとして説明したが、これらフレームレートは、これら値に限定されるものではない。
前記実施形態では、第１信号に基づいて、第１信号を、フレーム処理部７で２４Ｈｚの画像信号に再変換し、当該再変換した画像信号の複数のフレームから補間フレームを生成するとしたが、これに限らない。例えば、このように間接的に第１信号に含まれる複数のフレームから補間フレームを生成するのではなく、第１信号に含まれる複数のフレームから直接補間フレームを生成してもよい。
【００４０】
前記実施形態では、表示パネル９として液晶パネルを例示したが、これに限らず、表示パネル９は、有機ＥＬ（Electro-Luminescence）、プラズマ等の各種パネルであってもよい。
前記実施形態では、設定手段５として、画像表示装置１の外面に設けられた操作ボタン等で構成したが、これに限らず、設定手段５は、画像表示装置１とは別個のリモートコントローラー等で構成してもよい。
前記実施形態では、画像処理手段２、制御手段３、表示手段４及び設定手段５を備える画像表示装置１について説明したが、これに限らず、画像処理装置だけであっても同様の効果を奏することができる。
【産業上の利用可能性】
【００４１】
本発明は、画像処理装置及び画像表示装置に利用することができ、特に、プロジェクター、ＤＶＤ（Digital Versatile Disc）装置等の画像処理装置及びテレビジョン受像機等の画像表示装置に好適に利用することができる。
【符号の説明】
【００４２】
１…画像表示装置、２…画像処理手段、３…制御手段、４…表示手段、５…設定手段、６…映像処理部、７…フレーム処理部。
【図１】
2011119814.tif 000003
【図２】
2011119814.tif 000004
【図３】
2011119814.tif 000005
【図４】
2011119814.tif 000006